(57)【要約】【目的】画像データを容量の少ないデータで当該画像データの識別ができるためのデータに変換可能な携帯電話及び携帯電話を用いた携帯電話による本人認証システムを提供すること。【構成】被写体の画像データを入力する画像入力部を有する携帯電話において、該画像入力部により入力された画像データを２値１次元情報に変換する画像データ変換手段を有することを特徴とする携帯電話及び該携帯電話を用いた携帯電話による本人認証システム。【選択図】　　　　図１
2004070447.tif 000002
【特許請求の範囲】
【請求項１】
被写体の画像データを入力する画像入力部を有する携帯電話において、該画像入力部により入力された画像データを２値１次元情報に変換する画像データ変換手段を有することを特徴とする携帯電話。
【請求項２】
前記画像データ変換手段で変換して得られた２値１次元情報を送信する送信手段を有することを特徴とする請求項１記載の携帯電話。
【請求項３】
前記２値１次元情報は、バーコードデータであることを特徴とする請求項１又は２記載の携帯電話。
【請求項４】
前記画像データ変換手段で変換される画像データは、バイオメトリクス情報の画像データであることを特徴とする請求項１〜３のいずれかに記載の携帯電話。
【請求項５】
認証モード選択手段を有し、該認証モード選択手段で認証モードが選択された場合に、前記画像データ変換手段が画像データを変換することを特徴とする請求項１〜４のいずれかに記載の携帯電話。
【請求項６】
前記２値１次元情報は、画像データを２次元の離散的コサイン変換（ＤＣＴ）し、ＤＣＴ符号抽出情報に基づき前記画像データの特徴点を抽出し、該抽出された画像データのＤＣＴ符号から２値１次元情報が構成されたものであることを特徴とする請求項１〜５のいずれかに記載の携帯電話。
【請求項７】
前記ＤＣＴ符号抽出情報は、多くの対象画像のＤＣＴ平均振幅又は１つの対象画像のＤＣＴ振幅の大きさから求められた情報であることを特徴とする請求項６記載の携帯電話。
【請求項８】
前記前記画像データの特徴点を抽出は、ＤＣＴ符号の中間周波部を抽出することを特徴とする請求項６又は７記載の携帯電話。
【請求項９】
前記画像データ変換手段は、前記認証モード選択手段で認証モードが選択されると、複数の画像データを変換して複数の２値１次元情報を生成し、該複数の２値１次元情報を前記送信手段にて送信することを特徴とする請求項５〜８のいずれかに記載の携帯電話。
【請求項１０】
前記画像データ変換手段は、前記認証モード選択手段で認証モードが選択されると、複数の画像データを変換して複数の２値１次元情報を生成し、該複数の２値１次元情報を平均化して得られた２値１次元情報を前記送信手段にて送信することを特徴とする請求項５〜８のいずれかに記載の携帯電話。
【請求項１１】
前記画像データ変換手段は、前記認証モード選択手段で認証モードが選択されると、複数の画像データを平均化して得られた画像データを変換して２値１次元情報を生成し、該２値１次元情報を前記送信手段にて送信することを特徴とする請求項５〜８のいずれかに記載の携帯電話。
【請求項１２】
請求項１〜１１のいずれかに記載の携帯電話と、認証用サーバと、該携帯電話及び認証用サーバとを接続する通信ネットワークとを有し、
前記認証用サーバは、認証の基準となる２値１次元情報を予め記憶することにより登録しており、前記携帯電話により送信された２値１次元情報を、予め登録された２値１次元情報と比較して、両者が所定のヒット率以上である場合に、前記携帯電話に認証された旨の通知を行うことを特徴とする携帯電話による本人認証システム。
【発明の詳細な説明】
【０００１】
【発明の属する技術分野】
本発明は、携帯電話及び携帯電話による本人認証システムに関し、詳しくは、画像データを識別可能な情報に変換可能な携帯電話及び携帯電話による本人認証システムに関する。
【０００２】
【従来の技術】
従来、カメラ機能を付加することにより、顔等の撮影と、撮影した顔等の画像データを外部に送信することが出来る携帯電話が知られている。
【０００３】
また、近年、人間の顔、指紋、声紋等のバイオメトリクス情報により本人認証を行うシステムが注目されている。従来の、暗証番号や秘密鍵方式による本人認証には限界があるが、他人による「なりすまし」を困難とするバイオメトリクス情報による本人認証はセキュリティが高いからである。
【０００４】
このような背景から、本人認証のシステムとして、ネットワーク上に設けられたサーバ等を認証局として、該認証局に本人を確認するための各種バイオメトリクス情報である顔等の画像データを格納しておき、認証の際には、携帯電話から認証を受けようとする人のバイオメトリクス情報の画像データを認証局に送り、該認証局で格納された画像データと携帯電話から送られた画像データとを比較してその一致を判定することにより、本人認証をする方法が考えられる。しかし、画像データの一致を判定するためには時間がかかるという問題と、画像データは容量が大きいため、格納にかかる容量が大きくなるという問題がある。
【０００５】
【発明が解決しようとする課題】
そこで、本発明者は、画像データの特徴部分を抽出した情報により画像データを識別できることを見出し本発明に至った。
【０００６】
本発明の課題は、画像データを容量の少ないデータで当該画像データの識別ができるためのデータに変換可能な携帯電話を提供することにある。
【０００７】
本発明の他の課題は、一致を判定するための時間が短縮でき、データ容量の少ない本人認証のための情報を提供可能な携帯電話を提供することにある。
【０００８】
本発明の他の課題は、一致を判定するための時間が短縮でき、データ容量の少ない本人認証が可能な携帯電話による本人認証システムを提供することにある。
【０００９】
本発明の他の課題は、本明細書の以下の記載によって明らかになる。
【００１０】
【課題を解決するための手段】
上記課題は以下の各発明によって解決できる。
【００１１】
（請求項１）被写体の画像データを入力する画像入力部を有する携帯電話において、該画像入力部により入力された画像データを２値１次元情報に変換する画像データ変換手段を有することを特徴とする携帯電話。
【００１２】
（請求項２）前記画像データ変換手段で変換して得られた２値１次元情報を送信する送信手段を有することを特徴とする請求項１記載の携帯電話。
【００１３】
（請求項３）前記２値１次元情報は、バーコードデータであることを特徴とする請求項１又は２記載の携帯電話。
【００１４】
（請求項４）前記画像データ変換手段で変換される画像データは、バイオメトリクス情報の画像データであることを特徴とする請求項１〜３のいずれかに記載の携帯電話。
【００１５】
（請求項５）認証モード選択手段を有し、該認証モード選択手段で認証モードが選択された場合に、前記画像データ変換手段が画像データを変換することを特徴とする請求項１〜４のいずれかに記載の携帯電話。
【００１６】
（請求項６）前記２値１次元情報は、画像データを２次元の離散的コサイン変換（ＤＣＴ）し、ＤＣＴ符号抽出情報に基づき前記画像データの特徴点を抽出し、該抽出された画像データのＤＣＴ符号から２値１次元情報が構成されたものであることを特徴とする請求項１〜５のいずれかに記載の携帯電話。
【００１７】
（請求項７）前記ＤＣＴ符号抽出情報は、多くの対象画像のＤＣＴ平均振幅又は１つの対象画像のＤＣＴ振幅の大きさから求められた情報であることを特徴とする請求項６記載の携帯電話。
【００１８】
（請求項８）前記前記画像データの特徴点を抽出は、ＤＣＴ符号の中間周波部を抽出することを特徴とする請求項６又は７記載の携帯電話。
【００１９】
（請求項９）前記画像データ変換手段は、前記認証モード選択手段で認証モードが選択されると、複数の画像データを変換して複数の２値１次元情報を生成し、該複数の２値１次元情報を前記送信手段にて送信することを特徴とする請求項５〜８のいずれかに記載の携帯電話。
【００２０】
（請求項１０）前記画像データ変換手段は、前記認証モード選択手段で認証モードが選択されると、複数の画像データを変換して複数の２値１次元情報を生成し、該複数の２値１次元情報を平均化して得られた２値１次元情報を前記送信手段にて送信することを特徴とする請求項５〜８のいずれかに記載の携帯電話。
【００２１】
（請求項１１）前記画像データ変換手段は、前記認証モード選択手段で認証モードが選択されると、複数の画像データを平均化して得られた画像データを変換して２値１次元情報を生成し、該２値１次元情報を前記送信手段にて送信することを特徴とする請求項５〜８のいずれかに記載の携帯電話。
【００２２】
（請求項１２）請求項１〜１１のいずれかに記載の携帯電話と、認証用サーバと、該携帯電話及び認証用サーバとを接続する通信ネットワークとを有し、
前記認証用サーバは、認証の基準となる２値１次元情報を予め記憶することにより登録しており、前記携帯電話により送信された２値１次元情報を、予め登録された２値１次元情報と比較して、両者が所定のヒット率以上である場合に、前記携帯電話に認証された旨の通知を行うことを特徴とする携帯電話による本人認証システム。
【００２３】
【発明の実施の形態】
本発明の携帯電話の好ましい実施形態について、図面を参照して以下詳細に説明する。
【００２４】
図１は本発明の携帯電話のインターフェースの配置構成を示す概略構成図であり、図２は本発明の携帯電話の機能構成を示す機能ブロック図である。
【００２５】
本発明の携帯電話は、図１に示すように、情報の送受信を行うためのアンテナ１と、文字、画像等の各種情報を表示する情報表示部２と、被写体の撮影を行うためのカメラ３と、音声出力を行うスピーカ４と各種キー入力を行うためのキー入力部５と、音声入力を行うマイク６がインターフェースとして配置構成されている。
【００２６】
図１及び図２において、通信部１０は、本発明の送信手段に相当し、アンテナ１から入出力される電波を変調又は復調する変調部及び復調部を有し、図示しない基地局との間で音声情報、文字情報、画像情報等の各種情報の送受信を行う。通信部１０で受信された情報は制御部９０へ出力され、制御部９０から出力される音声情報や文字情報等は通信部１０から基地局へ送信される。また、制御部９０は本実施形態の携帯電話の動作を全般的に制御する。制御部９０が行う制御については、以下随時説明する。本発明の携帯電話の通信部１０は、いわゆるＰＨＳ網による通信も含む無線通信網による通信を行う。
【００２７】
音声入力部３０は、マイク６により通話時等に操作者の声等を制御部９０へ出力する。
【００２８】
音声出力部７０は、通信部１０により受信した通話相手の声やアナウンス信号等を音声信号として出力する。
【００２９】
操作部２０は、テンキー及び通話キーや所定の機能が割り当てられたキー入力部５を含み、キー入力部５の各キーに対する携帯電話の使用者の操作に応じた操作情報を制御部９０に出力する。操作情報が入力された制御部９０は、操作部２０から出力される操作情報に応じた制御を行う。例えば、キー入力部５において１０桁の数字が入力されて通話キーが操作された場合には、入力された電話番号で指定される相手先に対して電話をかける制御を行う。また、文字情報送信機能としての電子メール機能を実行するキーが操作された場合には、電子メールの作成及び送受信制御を行う。また、画像入力部４０による画像撮影機能としてのカメラ機能を実行するキーが操作された場合には、画像入力部４０による撮影制御が行われる。
【００３０】
また、操作部２０には、認証を行うための認証モード選択手段を有している。ユーザは、認証を行う場合に該認証モード選択手段において認証モードを選択することができる。
【００３１】
画像入力部４０は、撮影機能を有するＣＣＤ等のカメラ３を含み、該カメラ３により撮影された画像をＡ／Ｄ変換、色処理等の各種画像処理を行い画像データを生成する。生成された画像データは記憶部５０に一旦記憶される。撮影する際に、情報表示部２において、生成された画像データを確認できるようにすると、意図しない被写体の撮影をしないので好ましい。
【００３２】
画像入力部４０は、認証モード選択手段において、認証モードが選択された場合に、後述する画像データ変換部８０において複数の画像データを扱う場合、該画像データ変換部８０に送る複数の画像データの一致を判定し、全ての画像データが一致する場合は、画像データ変換部８０に画像データを送らず、認証の失敗を情報表示部２に表示させることが好ましい。
【００３３】
本発明の携帯電話は、画像データを２値１次元情報に変換する画像データ変換手段である画像データ変換部８０を備えていることを特徴とする。
【００３４】
画像データ変換部８０は、前記操作部２０の認証モード選択手段において認証モードを選択された場合に、認証用のデータとして画像データを変換して２値１次元情報が生成する。
【００３５】
図３は画像データ変換部の構成を説明するためのブロック図である。
【００３６】
図３において、８２は入力画像データを２次元の離散的コサイン変換（ＤＣＴ）するＤＣＴ変換部、８３はＤＣＴ符号抽出情報提供部８４から提供される情報に基づき前記画像データの特徴点を抽出する抽出部、８５は該抽出されたデータのＤＣＴ符号から２値１次元情報を構成する２値１次元情報構成部である。　　本発明の画像データ変換部８０は、画像入力部４０により入力されたバイオメトリクス情報の画像データを変換する。
【００３７】
本発明においてバイオメトリクス情報とは、顔、指紋、掌紋、虹彩、網膜パターン等の各人によって特徴の出やすい身体の部分のことであり、本発明では、顔や指紋を用いることが好ましい。画像入力部４０による画像データの生成が容易であるからである。かかるバイオメトリクス情報は、各人によって違いがあり、かかる情報を変換対象の画像データとすることによって、本発明の携帯電話は個人認証のためのデータを提供することができる。
【００３８】
かかるバイオメトリクス情報の画像データを生成する画像入力部４０の詳細について図４に基づいて説明する。
【００３９】
図４において、画像入力部４０は、被写体を撮像する撮像手段１００と、必要な部分を取り込む画像取り込み処理部１０１と、画素数設定部１０２からなる。撮像手段１００は、顔写真のような被写体を撮像レンズを介して撮影し、ＣＣＤ（撮像素子）の撮像面上に結像し、ＣＣＤにより結像された光学像を画素単位で光量に応じた信号電荷に光電変換する。光電変換された信号は画像処理部に入力され、ノイズ低減処理、また利得調整処理等が施され、更にＡ／Ｄ変換器によりデジタル信号に変換される。このとき読み込まれたデータは多値化デジタルデータである。
【００４０】
撮像手段１００によって得られた多値化デジタルデータは、必要な部分を取り込む画像取り込み処理部１０１に送られ、人物像で言えば、顔（肩の部分が含まれてもよい）の画像のみ、指紋で言えば、指の輪郭内部の画像のみ、網膜で言えば黒目の内部の画像のみ、掌紋で言えば、手のひらの輪郭の内部の画像のみが取り込まれることが好ましい。
【００４１】
画素数設定部１０２はＮ×Ｎ画素のように画素数が設定される。Ｎは対象によって異なり、３２，６４，１２８，２５６，５１２のうちのいずれかとする。
【００４２】
次に、図３に示すようにＤＣＴ変換部（２次元ＤＣＴ部）８２において、入力画像データを２次元の離散的コサイン変換（ＤＣＴ）する。
【００４３】
ＤＣＴ（離散的コサイン変換）は画像の圧縮に非常に有用である。これは偶関数による実数展開の性質に起因するものである。
【００４４】
２次元ＤＣＴは、次式で定義される。但し、信号ｆｍｎはｍ＝０・・・Ｍ−１，ｎ＝０・・・Ｎ−１　である。
【００４５】
【式１】
2004070447.tif 000003
【００４６】
【式２】
2004070447.tif 000004
【００４７】
ここで、ｆｍｎは画像信号、ＦｕｖはＤＣＴ変換係数であり、Ｃ（ｋ）は次式で示すような正規化定数である。
【００４８】
【式３】
2004070447.tif 000005
【００４９】
Ｆｕｖは実数であるから、その振幅部と符号部との分離可能関数（Ｓｅｐａｒａｂｌｅ　ｆｕｎｃｔｉｏｎ）
【００５０】
【式４】
2004070447.tif 000006
【００５１】
として記述できる。ただし、
【００５２】
【式５】
2004070447.tif 000007
【００５３】
である。
【００５４】
本発明の基本的な作用を説明すると、まず画像入力部４０から取り込まれた画像は、２次元のＤＣＴ変換部８２で２次元のＤＣＴ変換がなされ、平均振幅の大きさを指標としてあらかじめ決められたＤＣＴ係数の位置（ＤＣＴ符号抽出情報提供部８４から提供される情報）から、抽出部８３で入力データの特徴点となる符号を決められた順序（例えばスキャンニング方向）で抽出し、２値１次元情報構成部８５で２値１次元情報を構成する。
【００５５】
ＤＣＴ変換部８２における２次元のＤＣＴ変換は、２次元のフルピクチャーＤＣＴ変換又は部分ブロックＤＣＴ変換のいずれでも良い。
また、本発明の携帯電話は、バーコード化手段８６を有し、最終段では該バーコード化手段８６で２値１次元情報を＋１を白に−１を黒に対応させバーコードを作成することが好ましい。尚、本発明においてバーコードはバーコードと１対１対応に作られたデータであればよく、バーコードの形態は特に限定されない。
詳述すると、画像を含む任意の信号のＤＣＴ符号は、原信号と実質的に１対１対応をなし、その逆変換（Ｓｉｇｎ−Ｏｎｌｙ　ｓｙｎｔｈｅｓｉｓ）はちょうど２階差分値のようなものになり、信号が画像である場合には、そのＳｉｇｎ−Ｏｎｌｙ　ｓｙｎｔｈｅｓｉｓは明確にその画像の輪郭線を表し、原画像の認識に対してはＳｉｇｎ−Ｏｎｌｙ　Ｓｙｎｔｈｅｓｉｓは原信号と等価として扱える。すなわちこれは原画像とＤＣＴ符号（プラス又はマイナスの１ビット）は等価として扱えることを意味する。
【００５６】
従って、ＤＣＴ符号のプラスとマイナスの配置がその信号を決定しているといえる。このプラスとマイナスの配置で原信号が識別できることになる。
【００５７】
図３において、ＤＣＴ符号抽出情報提供部８４から提供される情報に基づき前記画像データの特徴点を抽出する抽出部８３で、その信号を特徴付ける部分のみの符号を取り出して、あらかじめ決められた順番（たとえばスキャン）により１次元信号として２値１次元情報構成部８５で再構成すると、画像をごく簡単な短い２値の一次元信号として構成できる。
【００５８】
ＤＣＴ符号抽出情報は、多くの対象画像のフルピクチャーＤＣＴ平均振幅又は１つの対象画像のＤＣＴ振幅の大きさから求められた情報である。ここでいう１つの対象画像とは、例えば、バイオメトリクス情報として顔を撮影した場合は、基準とする１つの顔の画像のことをいい、バイオメトリクス情報の種類に応じた基準とする１つの画像のことをいう。即ち、ＤＣＴ符号抽出情報提供部８４は、多くの対象画像のＤＣＴ平均振幅又は１つの対象画像のＤＣＴ振幅の大きさから求められた情報を提供する。
【００５９】
ＤＣＴ符号処理の基本となるＤＣＴ振幅について
ＤＣＴ（係数）振幅は各成分（周波数）位置でのパワーを表すものであり、いいかえれば原信号の中に含まれているその成分の大きさ（寄与率）を表すものである。従って、原信号を再構成する際、２乗誤差的観点から、何個まで係数を取れば目的のＳ／Ｎ比が得られるか等に対しては、一般に振幅情報が必要となる。
【００６０】
また、フーリエ変換においてはパワースペクトルの逆変換が自己相関関数になる（Ｗｉｅｎｅｒ−Ｋｈｉｎｃｈｉｎｅ　の定理）ことからフーリエ変換から作り出されたＤＣＴもその振幅に関しては似たような（もちろん数学的に厳密な意味ではない）性質を有している。一言で言えばＤＣＴ振幅は原信号のエネルギーに関した情報を担っているといえる。
【００６１】
ＤＣＴ符号について
ＤＣＴ符号は信号に関する非常に重要な情報を担っている。同じ振幅でも符号が異なれば明らかに異なった信号となる。例えば図５（ａ），（ｂ）に示したそれぞれの原画の２次元ＤＣＴをとり、ＤＣＴ符号を交換した画像が図６（ａ），（ｂ）である。即ち、図６（ａ）はドームのＤＣＴ振幅に女性のＤＣＴ符号を組み合わせたものである。また図６（ｂ）は逆にＤＣＴ振幅にドームのＤＣＴ符号を組み合わせたものである。
【００６２】
図６（ａ）は明らかに女性の写真であることがわかる。ドームの面影は全く見当たらない。同様に図６（ｂ）はドームの写真が写っていることが明確に認識できる。この図にはもはや女性の面影はない。
【００６３】
このようにＤＣＴ符号は、信号の構成に際してその信号の骨格となる情報を有しているといえる。ＤＣＴ符号は再構成信号に対して、支配的な役割を果たしている。
【００６４】
Ｓｉｇｎ−ｏｎｌｙ　ｓｙｎｔｈｅｓｉｓについて
さらにＤＣＴ符号の特徴的性質を示す符号のみの逆変換である
ｓｉｇｎ−Ｏｎｌｙ　ｓｙｎｔｈｅｓｉｓ　（ＳＯＳともいう）について説明する。
【００６５】
Ｓｉｇｎ−Ｏｎｌｙ　ｓｙｎｔｈｅｓｉｓは前記式２、式４より、次式の式６で定義される。
【００６６】
【式６】
2004070447.tif 000008
【００６７】
ここに、θｕｖは式５で定義されるものである。即ち、式４全ての振幅｜Ｆｕｖ｜を１とおいた逆変換式２に等しい。
【００６８】
図７に、ｓｉｇｎ−Ｏｎｌｙ　ｓｙｎｔｈｅｓｉｓの例を示す。
【００６９】
図７（ａ），（ｂ），（ｃ）はそれぞれドーム、人物顔、植物の葉の原画であり、図７（ａ’），　（ｂ’），（ｃ’）　はそれぞれに対応したＳＯＳ画像である。これらからＳＯＳ画像は画像認識の観点から原画と１：１対応であることが明確に分かる。
【００７０】
これに対して振幅のみの逆変換　Ａｍｐｌｉｔｕｄｅ−ｏｎｌｙ　ｓｙｎｔｈｅｓｉｓ（ＡＯＳ）は、Ｗｉｅｎｅｒ−Ｋｈｉｎｃｈｉｎｅ　の定理より原画の自己相関関数と関係したものとなり画像としての意味はなさない。
【００７１】
図８は、人物顔図７（ｂ）のＡＯＳを示す。真っ黒であり、画像としてはほとんど意味をなさない。
【００７２】
ＤＣＴ符号信号について
正負のＤＣＴ符号のみから、図７に示したような輪郭線画が得られたことから正負の符号の配置パターンが重要な意味を持っているといえる。
【００７３】
図９は、ＤＣＴ符号が各原画像に依存してユニークなパターンとなることを示している。
【００７４】
これらの符号パターンは明らかに異なっており、この正・負の符号の配置が画像を決定付けるものとなっていることがわかる。例えば、図９（ａ’）の符号パターンを上から下へ、左から右へと走査（スキャン）すると、＋，−の１次元信号となり、それら１部を描くと、バーコード化８６を設けた場合は、該２値１次元情報構成部で構成された信号が図１０のようにバーコードとなる。すなわち、このようなバーコードで画像を特定できることになる。バーコード化すると、画像の違いやパターンマッチング等が高速に行えるなど大きなメリットが生まれてくる。
【００７５】
図１１において、（ａ）は対象画像（人物顔）を示しており、（ｂ）は対象画像のＤＣＴ符号を示す図であり、（ｃ）は対象画像をバーコード化した図である。
また、図１２は図１１（ｂ）の各周波部を説明するための図である。
【００７６】
人物顔の特徴は、ＤＣＴ符号では図１２の斜線部に現れる。
【００７７】
図１１（ａ）の例の場合は画素数が３２×３２と小さいが（人物顔認識の場合はこの程度のサイズが普通）、人物の顔は一般に卵形の外形、目、口、鼻の大雑把な配置等は同じであり、これらは図１２（図１１（ｂ））の左上（直流分Ａ）を中心に低周波部Ｂに現れる。目や鼻の形状など顔の特徴は図１２（図１１（ｂ））の中間周波部Ｃに現れ、さらに細かい小さなシワやほくろは図１２（図１１（ｂ））の高周波部Ｄに現れてくる。従って、中間周波部を取れば人物の顔の識別が十分可能となる。
【００７８】
なお、目の特徴、口元の形、顔の詳細な輪郭などは比較的高い周波部に現れるため、それらの符号が特徴の決め手となる。本発明においては、顔の画像データをＤＣＴ変換した場合は、中間周波部の符号を抽出している。
【００７９】
また、指紋、掌紋、網膜などは細かい特徴であり、高周波部にその特徴が現れるので、本発明においては、指紋、掌紋、網膜の画像データをＤＣＴ変換した場合は、高周波部の符号を抽出している。
【００８０】
Ｎ×Ｎサイズの画像をＦｕｌｌ　ｐｉｃｔｕｒｅ　　ＤＣＴ変換（フルピクチャーＤＣＴ変換）すると、図１１（ｂ）のようなＮ×Ｎサイズの２次元信号（画像）となり、サイズは変わない。
【００８１】
図１２の斜線部のみを上から下、左から右へと走査（スキャン）することにより、＋（白）−（黒）のバーコードを作成できる。図１１（ｃ）はバーコードの結果を表したものである。
【００８２】
以下、ＤＣＴ符号パターンのスキャン例を示す図１３に基づいて、バーコードの作成について具体的に説明する。
【００８３】
図１３において、図１２の斜線部に相当する部位Ｆを、例えば矢印のように左から右へ、上から下へスキャン（走査）して、＋１と−１の数列（例えば、１，１，−１，１・・・・・−１，１）を作り、１を白、−１を黒に対応させてバーコードを作る。ＤＣＴ係数は実数であるから、正、負の数値を持っている。正ならば＋１、負ならば−１として作れる。なおＮ×Ｎサイズの平面（図１３）をＤＣＴ係数の符号平面と呼ぶ。
【００８４】
また、図１４（ａ）〜図１４（ｃ）は原画（図１１（ａ））とは異なる顔画像をバーコード化したものであるが、これらのバーコードを比較してみると全てが局部的に異なっていることが分かる。
【００８５】
このようにしてバーコードから人物の顔を同定することが可能となる。白黒の個数は、図１１（ｂ）の斜線部の画素数で決定されるが、この領域の中でも平均的に特徴が強く現れる画素のみを使うと、より少ない数でバーコードを作成できる。
【００８６】
例えば図１５のように、黒い画素の位置が平均のＤＣＴ振幅が高いとすると、高い方から１００個ほどを抽出し、その位置を特徴点として全ての入力顔画像のＤＣＴ符号の抽出に使う。こうすると前述の斜線部のスキャンよりも効率がよくなる。なぜなら斜線部は全てが重要なわけではなく、その中には殆ど零に近いものもあるからである。
【００８７】
本発明において、例えば５００画素をとると、２５００個の異なる顔を表すことができる。実際には６００〜１０００画素程度をとるから、２６００〜２１０００個の異なる顔を表現することができることとなり、実際上、無制限の顔数が取り扱える。　また、顔を画像データとして認証を行う場合は、認証モード手段で認証モードが選択されると、画像データ変換部８０は、複数の画像データを取り込んで該複数の画像を変換して複数の２値１次元情報を生成し、該複数の２値１次元情報を通信部１０で送信することが好ましい。このようにすることによって、顔のような時々によって細かい変化があるような画像を認証する場合でも、細かい変化による誤認識の問題が少ない認証用のデータを提供することができる。
【００８８】
画像データ変換部８０においては、複数の画像データを変換して複数の２値１次元情報を生成して、該複数の２値１次元情報を平均化して１つの２値１次元情報を得て、該２値１次元情報を通信部１０で送信することも好ましい。このように２値１次元情報を平均化することにより、顔のような時々によって細かい変化があるような画像を認証する場合でも、細かい変化による誤認識の問題が少ない認証用のデータを提供でき、画像変換を行う画像データの数が少なくて済み、通信部１０において、認証のために送信するデータ量が少なくて済む。即ち、処理時間の短縮化と通信トラフィックの節減ができる。
【００８９】
２値１次元情報の平均化は、例えば、複数の２値１次元情報が「１０１０」、「００１０」、「１０１１」のような場合では、「１０１０」となる。これは、１番目の値としては「１０１０」が「１」であり、「００１０」が「０」であり、「１０１１」が「１」であることから、最も多い「１」が採用される。２番目の値としては「１０１０」が「０」であり、「００１０」が「０」であり、「１０１１」が「０」であることから、「０」が採用される。３番目の値としては「１０１０」が「１」であり、「００１０」が「１」であり、「１０１１」が「１」であることから、「１」が採用される。４番目の値としては「１０１０」が「０」であり、「００１０」が「０」であり、「１０１１」が「１」であることから、最も多い「０」が採用される。つまり、１番目の値が「１」、２番目の値が「０」、３番目の値が「１」、４番目の値が「０」であるので、これら３つの２値１次元情報の平均化後の値は「１０１０」となる。
【００９０】
画像データ変換部８０においては、前記認証モード選択手段で認証モードが選択されると、複数の画像データを平均化してから変換して１つの２値１次元情報して通信部１０で１つの２値１次元情報を送信することも好ましい。このように２値１次元情報を平均化することにより、顔のような時々によって細かい変化があるような画像を認証する場合でも、細かい変化による誤認識の問題が少ない認証用のデータを提供でき、画像変換を行う画像データの数が少なくて済み、通信部１０において、認証のために送信するデータ量が少なくて済む。即ち、処理時間の短縮化と通信トラフィックの節減ができる。
【００９１】
このようにして、本発明の携帯電話は、本人認証のデータとして撮影手段により撮影した画像データを画像データ変換手段により２値１次元情報に変換することができ、該変換後の２値１次元情報を通信部１０を介して外部に送信することができる。従って、本発明の携帯電話により、本人認証のデータとしての２値１次元情報を送信することが出来る。
【００９２】
尚、上記の態様では、撮像手段が携帯電話と一体となって構成されていたが、撮像手段と携帯電話とを別体に設けておいて撮影時に撮像手段を携帯電話に付加する態様も考えられる。
【００９３】
また、上記の態様で携帯電話に画像データ変換手段が予め設けられているが、予め画像データ変換手段を携帯電話に設けずに、該画像データ変換手段の作用を実現するプログラムをソフトウエアとしてネットワーク上からダウンロードする態様も考えられる。
【００９４】
また、図１６に示すように、本発明の携帯電話を用いて、本人認証システムを構成することもできる。
【００９５】
例えば、図１６において、本発明の携帯電話２００と認証用サーバ４００とを通信ネットワーク３００を介して接続し、携帯電話２００を用いて認証の対象となる画像データの２値１次元情報を作成して認証用サーバ４００に送信する。
【００９６】
このとき認証用サーバ４００には、基準となる２値１次元情報が予め携帯電話２００又は他の端末装置により登録されている。かかる登録は、携帯電話２００又は他の端末装置により入力され、認証用サーバ４００により認証対象のデータと関連づけたデータテーブルに対応して記憶されることによりなされる。
【００９７】
携帯電話から２値１次元情報を受信した認証用サーバ４００は、予め登録された２値１次元情報と比較して、両者が所定のヒット率以上である場合に、前記携帯電話２００に認証された旨の通知を行う。
【００９８】
このように、本発明の携帯電話による本人認証システムは、携帯電話により簡単に本人認証ができるシステムを提供できる。また、本人認証のためのデータが２値１次元情報であるので、認証の基準のデータとして予め記録されたデータの容量が少なく、記録のための容量が少なくて済み、認証対象となるデータも容量が少なく送信トラフィックが小さくて済む。従って、素早い認証が確実にできるという効果もある。
【図面の簡単な説明】
【図１】本発明の携帯電話のインターフェースの配置構成を示す概略構成図
【図２】本発明の携帯電話の機能構成を示す機能ブロック図
【図３】本発明の画像データ変換部の構成を説明するためのブロック図
【図４】画像入力部の一例の詳細ブロック図
【図５】原画を示す図
【図６】図５（ａ），（ｂ）に示した原画の２次元ＤＣＴをとり、ＤＣＴ符号を交換した画像で、図６（ａ）はドームのＤＣＴ振幅に女性のＤＣＴ符号を組み合わせたもの、図６（ｂ）は逆に女性のＤＣＴ振幅にドームのＤＣＴ符号を組み合わせたもの
【図７】図７（ａ），（ｂ），（ｃ）はそれぞれドーム、人物顔、植物の葉の原画を示し、図７（ａ’），（ｂ’），（ｃ’）はそれぞれに対応したＳＯＳ画像を示す図
【図８】人物顔図７（ｂ）のＡＯＳを示す図
【図９】ＤＣＴ符号が各原画像に依存してユニークなパターンとなることを示す図
【図１０】バーコードの例を示す図
【図１１】図１１（ａ）対象画像を示し、図１１（ｂ）は対象画像のＤＣＴ符号を示し、図１１（ｃ）は対象画像をバーコード化した図
【図１２】図１１（ｂ）の各周波部を説明するための図
【図１３】ＤＣＴ符号パターンのスキャン例を示す図
【図１４】顔画像とそれをバーコード化した図
【図１５】ＤＣＴ符号の抽出手段の他の例を示す図
【図１６】本発明の携帯電話を用いた人認証システムの概略構成を示す図
【符号の説明】
１：アンテナ
２：情報表示部
３：カメラ
４：スピーカ
５：キー入力部
６：マイク
１０：通信部
２０：操作部
３０：音声入力部
４０：画像入力部
１００：撮像手段
１０１：画像取り込み処理部
１０２：画素数設定部
５０：記憶部
６０：表示部
７０：音声出力部
８０：画像データ変換部
８２：ＤＣＴ変換部
８３：抽出部
８４：ＤＣＴ符号抽出情報提供部
８５：２値１次元情報構成部
８６：バーコード化手段
９０：制御部
【図１】
2004070447.tif 000009
【図２】
2004070447.tif 000010
【図３】
2004070447.tif 000011
【図４】
2004070447.tif 000012
【図５】
2004070447.tif 000013
【図６】
2004070447.tif 000014
【図７】
2004070447.tif 000015
【図８】
2004070447.tif 000016
【図９】
2004070447.tif 000017
【図１０】
2004070447.tif 000018
【図１１】
2004070447.tif 000019
【図１２】
2004070447.tif 000020
【図１３】
2004070447.tif 000021
【図１４】
2004070447.tif 000022
【図１５】
2004070447.tif 000023
【図１６】
2004070447.tif 000024